(57)【要約】【技術課題】  袋に取り付けたとき、咬合強度が大きく、小さな力で開封できるジッパーテープの開封手段を得る。【解決手段】  雄条３と雌条５を咬合、又は離脱自在となしたジッパーテープ１であって、前記雄条３を表面の中央に形成した雄側ベーステープ２と、前記雌条５を表面中央に形成した雌側ベーステープ４とにおいて、何れか一方のベーステープ２又は４の中央から上下縁までの距離を、他方のベーステープ２又は４の中央から上下縁までの距離よりも小さく形成すると共に、前記ジッパーテープ１を袋の開口部１０７内に取り付けたとき、雄側と雌側ベーステープ２、４の上縁と袋１０６の開口縁との間には、少なくとも指先で摘むだけのフラップ部分１０８を形成しておく。【選択図】        図  １
2006321531.tif 000002
【特許請求の範囲】
【請求項１】
雄条と雌条を咬合、又は離脱自在となした袋用のジッパーテープであって、前記雄条を表面の中央に形成した雄側ベーステープと、前記雌条を表面の中央に形成した雌側ベーステープとにおいて、何れか一方のベーステープの中央から上下縁までの距離を、他方のベーステープの中央から上下縁までの距離よりも小さく形成すると共に、前記ジッパーテープを袋の開口部内に取り付けたとき、雄側と雌側ベーステープの上縁と袋の開口縁との間には、少なくとも指先で摘むだけのフラップ部分が形成されること、を特徴とするジッパーテープ付袋の易開封手段。
【発明の詳細な説明】
【技術分野】
【０００１】
本発明は、袋の開口部のところに取り付けられていて、雄条と雌条を咬合することにより袋の開口部を密閉することができると共に、袋の開口部のところに形成したフラップ部分を指先で摘んで開くようにすると雄条と雌条が離脱して袋の開口部を開放することができるばかりでなく、この密閉と開放動作を何回も繰り返すことができるジッパーテープを取り付けた袋の易開封手段に関するものである。
【背景技術】
【０００２】
袋の開口部を何度でも開閉できるようにするために、あらかじめ雄条と雌条から成るジッパーテープを袋の開口部内に取り付けたプラスチックフィルム製の袋が公知である。
このような袋の場合、一旦開封しても再密閉することができるために、特に食品及び菓子の分野において多利用されている。図５は、このジッパーテープ１００と袋１０６の説明図であって、ジッパーテープ１００は、プラスチックフィルム製の袋１０６の開口部１０７内において、雄条１０２側のベーステープ１０３と雌条１０４側のベーステープ１０３がそれぞれヒートシールされていて、開口部１０７を密封する場合には、雌条１０４に雄条１０２を指先で押えるようにして咬合し、開封する場合には、フラップ部分１０８を指先で摘み、左右（前後）に開くようにして雄条１０２と雌条１０４の咬合を強制的に離脱させるものである。
【発明の開示】
【発明が解決しようとする課題】
【０００３】
このように、ジッパーテープ付の袋１０６は、手軽に開口部１０７を再密閉することができるため、上記のとおり食品や菓子分野で多用されているが、気密性や水密性能を高めるためには、基本的には雄条１０２と雌条１０４の咬合強度を高めることが必要である。
一方、この咬合強度を高めた場合、ジッパーテープ１００を開放する時、フラップ部分１０８にかける指先の力が必要となり、開けにくいと云う問題がある。特に、指先が濡れていたりすると滑り易く、例えば台所で料理中ににぼしの入った袋を開けようとしたときに、指先が濡れていると滑ってしまい、なかなか開けられないことがある。このようなことから、ジッパーテープには、その密封性を高めたいという要求と、開け易いという相反する要求を満足する設計が求められていているが、どうしても密閉性に重きをおくために、開け難い例が多く、特に、指先の不自由な人、高齢者には不自由な場合が多い。
【０００４】
そこで、この開け難さを解消する手段として、フラップ部分１０８にすべり止めを施した例もあるが、このような加工を行うためには、すべり止めの加工工程が増加して、コスト高を招くことになる。
また、指先で摘み易いように、ジッパーテープ１００を開口部１０７の奥に取り付けて、フラップ部分１０８の幅を広くとる例も認められるが、このようにすると、一袋当りの製袋用プラスチックフィルムの使用量が多くなり、この場合もコスト高になると共に、省資源の観点からも好ましくない。
【０００５】
また、袋１０６の開口部１０７内において、雄側と雌側のベーステープに段差を設けた発明が、特開２００４−１４２７４６号公報に掲載されている。
この公知例は、プラスチック製袋１にあっては、開口部３を開ける場合、袋１を構成するフィルム２の開口部３部分（以下、この部分をフラップ部４と記す）の上端部を指でつまんで左右に拡げることになるが、フラップ部４、４の上端が同じ高さに揃えられているため、フラップ部４、４をそれぞれ指でつまむことは困難で煩雑でもあったことから、このような不具合を解消するため、フラップ部４、４の上端側（下端側は同一）に段差を設け、長い方のフラップ部４の内側面に指を当てることにより、容易に開口することが可能であるというものである。
【０００６】
すなわち、このジッパーテープ１０はベース部分１１の幅寸法Ａ、Ｂが互いに異なっている。詳しくは、凹部１２及び凸部１３を中心にして寸法Ａ１、Ｂ１（下端側）は等しく設定されているが、寸法Ａ２（上端側）は寸法Ｂ２よりも長く設定されている。そして、前記ジッパーテープ１０を、寸法Ａ２、Ｂ２を上部にして開口部２２の内側面に溶着し、かつ、袋２０を構成するプラスチックフィルム２１の上端をジッパーテープ１０の上端と一致させれば、寸法Ａ２、Ｂ２部分をフラップ部２３ａ、２３ｂとして機能させることができる。この場合、フラップ部２３ａ、２３ｂは高さが異なる段差状態（段差Ｃ）となっている。
【０００７】
幅寸法Ａ２、Ｂ２からなるフラップ部２３ａ、２３ｂはジッパーテープ１０のベース部分１１であり、着色が異なっていることによってその長短及び外側、内側を容易に判別することができる。そして、図２に示すように、長い方のフラップ部２３ａを一方の手の指でつまみ、そのまま外側面方向（矢印Ｙで示す）にずらし、かつ、短い方のフラップ部２３ｂを他方の手の指でつまんで互いに反対方向に引っ張ると、長短のフラップ部２３ａ、２３ｂを容易に分離することができ、開口部２２を開いて凹部１２及び凸部１３の嵌合を解除することができるというものである。
【０００８】
但し、以上に説明した公知例の場合、ジッパーテープの幅（寸法）を変えたのは、凹部１２と凸部１３から上方の部分であって、これは、着色の判別性と、摘み易いように、段差を設けることが目的であって、凹部１２と凸部１３を開放しやすいようにするためのことではない。
また、この公知例の場合、指先で直接ジッパーテープのベース部分を摘んで開けるようになっていて、前記図５に示した袋１０６側のフラップ部分１０８がジッパーテープ（ベース部分）の上に形成されていて、このフラップ部分１０８を指先で摘んで開ける形態とはなっていない。
したがって、ジッパーテープを開けるための力は、公知例のように段差を設けるようと、設けまいと、ベーステープ部分１０８を直接摘んで開ける方式においては、変わりがない。
【０００９】
本発明の目的は、プラスチックフィルム製の袋の開口部内に取り付けられ、袋側のフラップ部分を摘んで開放するジッパーテープにおいて、その開放する力を２０〜３０％軽減して、手が濡れていたり、指先の不自由な人や高齢者の人にも苦労せずに開放できるジッパーテープ付袋の易開封手段を提供することである。
【課題を解決するための手段】
【００１０】
上記目的を達成するため、請求項１に記載の発明においては、ジッパーテープ付袋の易開封手段において、雄条と雌条を咬合、又は離脱自在となした袋用のジッパーテープであって、前記雄条を表面の中央に形成した雄側ベーステープと、前記雌条を表面の中央に形成した雌側ベーステープとにおいて、何れか一方のベーステープの中央から上下縁までの距離を、他方のベーステープの中央から上下縁までの距離よりも小さく形成すると共に、前記ジッパーテープを袋の開口部内に取り付けたとき、雄側と雌側ベーステープの上縁と袋の開口縁との間には、少なくとも指先で摘むだけのフラップ部分が形成されること、を特徴とするものである。
【００１１】
〔作用〕
プラスチックフィルム製の袋（以下単に「袋」という。）内にジッパーテープを取り付ける方法は、ヒートシール方法であり、これは従来例と変らない。また、雄条と雌条の咬合方法、開放方法も従来例と変らない。但し、この開放に際し、袋のフラップ部分を指先で摘み、左右に広げるようにして力を加えると、ベーステープの幅の小さい方の雄条又は雌条には、ベーステープの幅が小さい分袋側の柔らかいフラップ部分が接近していて、ベーステープの上縁付近に角度の大きい力がかかり、更に、このベーステープ部分はヒートシールにより硬化しているため、ベーステープ部分の下縁付近には折れ曲がりの力が顕著に作用して、この幅の小さい側のベーステープは垂直（閉じた状態）からベーステープの幅の大きい側に比較してより大きな角度で傾斜する。この結果、小さい幅側のベーステープと一緒に雄条又は雌条が回転し、この回転力と引きの角度により雌条の開口スリットが開く方向に変形する。
【００１２】
幅の広いベーステープ側の雄条又は雌条の回転は小さいことから、この差と雌条の開口スリットの変形により、雄条と雌条の咬合力が弱り、小さな力で開放することができる。
この点、ベーステープの幅が雄条側と雌条側において同一の従来例においては、フラップ部分を摘んで開いても、ベーステープ部分はヒートシールにより硬化していることから、双方のベーステープの傾斜角は同一のため、特に雌条側の変形は小さい。この結果、雄条は雌条の開口スリットを無理に押し広げて抜け出る作用となり、開放に大きな力が必要となる。
【発明の効果】
【００１３】
本発明は以上のように、ジッパーテープにおいて、雄側又は雌側のベーステープの幅を、いずれか一方において他方よりも小さく形成したことにより、咬合強度は同一であっても、咬合を離脱させる時に必要となる力が小さくて済む。
この結果、開け易く、子供や特に指先の不自由な人や高齢者にとって便利である。
また、ベーステープの幅を小さくした分、ジッパーテープの製造コストの低減、省資源の効果を奏することができる。但し、製袋コストには影響がない。
【実施例】
【００１４】
ジッパーテープの材質は、周知のもので構わない。また、この製法も周知、慣用されている方法で構わない。本発明は、ベーステープの幅に大小の違いを設けたもので、大小を雄条側と雌条側の何れに振り分けるかは任意である。本実施例において、ベーステープの幅の大きい側は１２ｍｍ、小さい側は６ｍｍ幅に設定したが、これはあくまでも一例である。小幅の方は、小さい程有効であるが、あまり小さ過ぎると袋に取り付けるのが難しくなるので、限界は咬合部の直径以上となる。
【００１５】
図１〜図４を基に本発明の実施例を詳細に説明する。各図において、１は袋１０６の開口部１０７内に取り付けられたジッパーテープであって、このジッパーテープ１は、雄条３を表面中央に形成した雄側ベーステープ２が袋１００の裏側の内面にヒートシールされ、雌条５を表面中央に形成した雌条ベーステープ４が表側の内面にヒートシールされ、互いに対向していて、咬合自在である。
上記構成のジッパーテープ１において、雌条５側のベーステープ４の幅Ｗ2は、図２に示すように、雄条３側のベーステープ２の幅Ｗ1よりも小さく、この幅は前記したように
Ｗ1＝１２ｍｍ、Ｗ2＝６ｍｍである。
【００１６】
１０８は、上記したベーステープ２及び４の上縁２ａ、４ａから袋１０６において、Ｖノッチ１１０部分から横一文字にカットされた袋１０６のカット部分（上縁）までに形成されたフラップ部分であって、ジッパーテープ１は、このフラップ部分１０８を、図３に示すように左右の手の指先で摘み、矢印方向に開くための摘みであって、本発明においては必須の構成要件である。
図３は、このフラップ部分１０８を摘んで左右に袋１０６の開口部１０７を開き、ジッパーテープ１の咬合を離脱させようとしている段階を示したもので、テープ幅の小さい雌条５側のベーステープ４は大きく傾斜し、この傾斜により雌条５が回転し、開口スリット５ａに近い先端５ｂ側は開くように変形する。この結果、雄条３は小さな力で雌条５から離脱するため、易開封が可能である。
【００１７】
図４は、雄条３側のベーステープ２の幅を雌条５側のベーステープ４よりも小さく形成した例であって、この場合は、大きく回転した雄条３が雌条５の開口スリット５ａの先端５ｂを押し広げるように作用し、これにより小さな力で雄条３は雌条５から離脱する。
【図面の簡単な説明】
【００１８】
【図１】本発明に係るジッパーテープを開口部内に取り付けた袋の説明図
【図２】本発明に係るジッパーテープを開口部内に取り付けた袋の断面図
【図３】雌側のベーステープの幅を雄側に比較して小さく形成したジッパーテープの開放状態の説明図
【図４】雄側のベーステープの幅を雌側に比較して小さく形成したジッパーテープの開放状態の説明図
【図５】従来のジッパーテープと袋の説明図
【符号の説明】
【００１９】
１  ジッパーテープ
２  雄側ベーステープ
３  雄条
４  雌側ベーステープ
５  雌条
１０６  袋
１０７  開口部
【図１】
2006321531.tif 000003
【図２】
2006321531.tif 000004
【図３】
2006321531.tif 000005
【図４】
2006321531.tif 000006
【図５】
2006321531.tif 000007